【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
垂直配向処理が施されている第１基板および第２基板と、
前記第１基板と第２基板の間に介在している液晶層と、
前記第２基板に設けられており、互いに略平行に伸びている複数のゲート線と、
前記第２基板に設けられており、互いに略平行に伸びているとともに前記ゲート線に直交しており、前記ゲート線とともに複数の画素領域をマトリクス状に画定している複数のデータ線と、
前記第１基板に設けられている共通電極と、
前記第２基板に設けられており、それぞれが前記画素領域のそれぞれに対応して位置している複数の画素電極と、
前記第１基板に設けられており、互いに略平行に伸びており、前記画素電極から液晶層に電圧が印加されたときに液晶層の液晶分子が配向する方向を画素領域における位置に応じて変化するように調整する複数の第１調整手段と、
前記第２基板に設けられており、前記第１調整手段に略平行に伸びており、前記画素電極から液晶層に電圧が印加されたときに液晶層の液晶分子が配向する方向を画素領域における位置に応じて変化するように調整する複数の第２調整手段を備え、
前記第１調整手段と前記第２調整手段は交互に配置されており、前記第１調整手段と前記第２調整手段との間隔が３０マイクロメートル以上であることを特徴とする液晶表示装置。
【請求項２】
前記第１調整手段は、前記第１基板に設けられている線状突起であり、
前記第２調整手段は、前記画素電極に設けられているスリットであることを特徴とする請求項１の液晶表示装置。
【請求項３】
前記スリットには、鋸歯状に配列している複数の第２スリットが形成されていることを特徴とする請求項２の液晶表示装置。
【請求項４】
前記スリットと前記線状突起との間隔が５０マイクロメートル以下であることを特徴とする請求項３の液晶表示装置。
【請求項５】
前記第１調整手段は、前記共通電極に設けられているスリットであり、
前記第２調整手段は、前記第２基板に設けられている線状突起であることを特徴とする請求項１の液晶表示装置。
【請求項６】
前記第１調整手段は、前記第１基板に設けられている線状突起であり、
前記第２調整手段は、前記第２基板に設けられている線状突起であることを特徴とする請求項１の液晶表示装置。
【請求項７】
前記第１調整手段は、前記共通電極に設けられているスリットであり、
前記第２調整手段は、前記画素電極に設けられているスリットであることを特徴とする請求項１の液晶表示装置。
【請求項８】
垂直配向処理が施されている第１基板および第２基板と、
前記第１基板と第２基板の間に介在している液晶層と、
前記第２基板に設けられており、互いに略平行に伸びている複数のゲート線と、
前記第２基板に設けられており、互いに略平行に伸びているとともに前記ゲート線に直交しており、前記ゲート線とともに複数の画素領域をマトリクス状に画定している複数のデータ線と、
前記第２基板に設けられており、それぞれが前記画素領域のそれぞれに対応して位置している複数の画素電極と、
前記画素電極に設けられており、前記画素電極を十字形状の本体部分とその本体部分から延出している複数の突出部分を有する形状に成形している複数のスリットと、
前記画素領域に設けられており、２つのサイド部とその２つのサイド部を接続している十字形状の中央部を有するキャパシタを備え、
前記キャパシタ電極の各サイド部は、その画素領域を画定している各データ線の近傍にそれぞれ位置しており、
前記キャパシタ電極の中央部は、前記画素電極の本体部分に対向しており、
前記キャパシタ電極と前記画素電極が、蓄電ユニットを形成していることを特徴とする液晶表示装置。
【請求項９】
垂直配向処理が施されている第１基板および第２基板と、
前記第１基板と第２基板の間に介在している液晶層と、
前記第２基板に設けられており、互いに略平行に伸びている複数のゲート線と、
前記第２基板に設けられており、互いに略平行に伸びているとともに前記ゲート線に直交しており、前記ゲート線とともに複数の画素領域をマトリクス状に画定している複数のデータ線と、
前記第１基板に設けられている共通電極と、
前記第２基板に設けられており、それぞれが前記画素領域のそれぞれに対応して位置している複数の画素電極と、
前記第１基板に設けられており、互いに略平行に伸びており、前記画素電極から液晶層に電圧が印加されたときに液晶層の液晶分子が配向する方向を画素領域における位置に応じて変化するように調整する複数の第１調整手段と、
前記第２基板に設けられており、前記第１調整手段に略平行に伸びており、前記画素電極から液晶層に電圧が印加されたときに液晶層の液晶分子が配向する方向を画素領域における位置に応じて変化するように調整する複数の第２調整手段と、
隣接する２本の前記ゲート線の間に設けられおり、前記画素電極とともに蓄電ユニットを形成する複数のキャパシタ電極線と、
前記画素電極とその画素電極に対応する前記データ線との間に設けられており、その一部が前記画素電極に重なる位置に形成されており、前記キャパシタ電極線と一体成形されている少なくとも１本の導体線と、
を備える液晶表示装置。
【請求項１０】
前記第１調整手段は、前記第１基板に設けられている線状突起であり、
前記第２調整手段は、前記第２基板に設けられている線状突起であることを特徴とする請求項９の液晶表示装置。
【請求項１１】
前記第１調整手段は、前記第１基板に設けられている線状突起であり、
前記第２調整手段は、前記画素電極に設けられているスリットであることを特徴とする請求項９の液晶表示装置。
【請求項１２】
前記第１調整手段は、前記共通電極に設けられているスリットであり、
前記第２調整手段は、前記第２基板に設けられている線状突起であることを特徴とする請求項９の液晶表示装置。
【請求項１３】
前記第１調整手段は、前記共通電極に設けられているスリットであり、
前記第２調整手段は、前記画素電極に設けられているスリットであることを特徴とする請求項９の液晶表示装置。
【手続補正２】
【補正対象書類名】明細書
【補正対象項目名】００１４
【補正方法】変更
【補正の内容】
【００１４】
本発明によって具現化される液晶表示装置は、垂直配向処理が施されている第１基板および第２基板と、第１基板と第２基板の間に介在している液晶層と、第２基板に設けられており、互いに略平行に伸びている複数のゲート線と、第２基板に設けられており、互いに略平行に伸びているとともに前記ゲート線に直交しており、ゲート線とともに複数の画素領域をマトリクス状に画定している複数のデータ線と、第１基板に設けられている共通電極と、第２基板に設けられており、それぞれが前記画素領域のそれぞれに対応して位置している複数の画素電極を備えている。即ち、この液晶表示装置は、いわゆる垂直配向型の液晶表示装置である。液晶層の液晶分子は、第１基板や第２基板に施された垂直配向処理によって、液晶層に電圧が印加されていないときに、第１基板の主表面に略垂直となるように配向する。
また、この液晶表示装置は、第１基板に設けられており、互いに略平行に伸びている複数の第１調整手段と、第２基板に設けられており、第１調整手段に略平行に伸びている複数の第２調整手段を備えている。第１調整手段や第２調整手段は、画素電極から液晶層に電圧が印加されたときに液晶層の液晶分子が配向する方向を調整するものであり、液晶分子が配向する方向を画素領域における位置に応じて変化するように調整する。そして、この液晶表示装置では、第１調整手段と第２調整手段が交互に配置されており、前記第１調整手段と前記第２調整手段との間隔が３０マイクロメートル以上であることを特徴とする。